(57)【要約】【課題】種々サイズの電線と種々タイプのコンタクトピンとを特殊な工具を使用することなく簡単に接続できるコネクタを提供すること。【解決手段】本発明のコネクタは、先端に接触部及び後端に電線接続部を有するコンタクトピン３、３Ａと、該コンタクトピン３、３Ａ及び電線Ｗが収容される収容孔５を有するコネクタハウジング４と、を備えたコネクタ１において、前記収容孔５に前記コンタクトピン３、３Ａ及び電線Ｗを収容して、第１、第２接触部２３ａ、２３ｂが連結片２３ｃで結合された接続ブレード２３を備えるブリッジ型接続部材２２を前記収容孔５に押し込むことにより、前記第１、第２接触部２３ａ、２３ｂで前記コンタクトピン３、３Ａの接続部と電線の芯線とを接続する。【選択図】図１
2007157697.tif 000002
【特許請求の範囲】
【請求項１】
先端に接触部及び後端に電線接続部を有するコンタクトピンと、該コンタクトピン及び電線が収容される収容孔を有するコネクタハウジングとを備えたコネクタにおいて、
前記収容孔に前記コンタクトピン及び電線を収容して、第１、第２接触部が連結片で結合されたブリッジ型接続部材を前記収容孔に押し込むことにより、前記第１、第２接触部で前記コンタクトピンの接続部と電線の芯線とを接続することを特徴とするコネクタ。
【請求項２】
前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されていることを特徴とする請求項１に記載のコネクタ。
【請求項３】
前記ブリッジ型接続部材の第１、第２接触部はそれぞれ同数又は異なった数形成されていることを特徴とする請求項１に記載のコネクタ。
【請求項４】
前記コンタクトピンは、雌型コンタクトピン又は雄型コンタクトピンであって、これらのコンタクトピンが雌型コネクタハウジング又は雄型コネクタハウジングに収容されていることを特徴とする請求項１〜３の何れかに記載のコネクタ。
【請求項５】
先端に接触部及び後端に電線接続部を有するコンタクトピンと、該コンタクトピン及び電線を収容し後方に電線固定部材が装着される収容孔を有するコネクタハウジングとを備えたコネクタにおいて、
前記コネクタハウジングの壁面に前記収容孔に連通する第１連通孔を形成し、前記収容孔に前記コンタクトピン及び電線を収容し、第１、第２接触部を有しこれらが連結片で結合されたブリッジ型接続部材の第１、第２接触部を前記第１連通孔に押し込むことにより、前記第１、第２接触部で前記コンタクトピンの接続部と電線の芯線とを接続することを特徴とするコネクタ。
【請求項６】
前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されていることを特徴とする請求項５に記載のコネクタ。
【請求項７】
前記ブリッジ型接続部材の第１、第２接触部はそれぞれ同数又は異なった数形成されていることを特徴とする請求項５に記載のコネクタ。
【請求項８】
前記電線固定部材は、前記電線を保持し前記第１連通孔に連通する第２連通孔が形成された電線保持溝を有する保持部材と、前記保持部材を収容する窪み穴及び前記コンタクトピンの接続部を収容し前記第１連通孔に連通する第３連通孔が形成された固定穴を有する固定ハウジングと、を有し、
前記保持部材を前記固定ハウジングの窪み穴に収容した状態で前記コネクタハウジングの収容孔に挿入し、前記ブリッジ型接続部材の第１接触部が前記第１、第２連通孔を通過して、また前記第２接触部が前記第１、第３連通孔を通過して押し込まれることを特徴とする請求項５に記載のコネクタ。
【請求項９】
前記保持部材は、絶縁性の厚板の一面に少なくとも１本の電線を収容できる電線保持溝が設けられ、これらの電線保持溝は、それぞれの電線サイズに適合する溝幅になっていることを特徴とする請求項８に記載のコネクタ。
【請求項１０】
前記保持部材は少なくとも１個の絶縁性の保持ブロックで形成され、これらの保持ブロックにはそれぞれ電線サイズに適合する電線保持溝及び個々の保持ブロックを連結する連結手段が形成されていることを特徴とする請求項８に記載のコネクタ。
【請求項１１】
前記コンタクトピンは雌型コンタクトピン又は雄型コンタクトピンであって、これらのコンタクトピンが雌型コネクタ又は雄型コネクタハウジングに収容されていることを特徴とする請求項５〜１０の何れかに記載のコネクタ。
【請求項１２】
先端に接触部及び後端に電線接続部を有するコンタクトピンと、該コンタクトピン及び電線を収容し後方に電線固定部材及び防水部材が装着される収容孔を有するコネクタハウジングとを備えたコネクタにおいて、
前記コネクタハウジング壁面に第１、第２接触部が連結片で結合されたブリッジ型接続部材が挿入され底部に前記収容孔に連通する第１連通孔を有する窪み穴を形成し、この窪み穴にシール部材を装着するとともに前記収容孔に前記コンタクトピン、電線、前記電線固定部材及び前記防水部材を装着して、前記ブリッジ型接続部材の前記第１、第２接触部を前記第１連通孔に押し込むことにより、前記第１、第２接触部で前記コンタクトピンの接続部と電線の芯線とを接続することを特徴とするコネクタ。
【請求項１３】
前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されていることを特徴とする請求項１２に記載のコネクタ。
【請求項１４】
前記ブリッジ型接続部材の第１、第２接触部はそれぞれ同数又は異なった数形成されていることを特徴とする請求項１２に記載のコネクタ。
【請求項１５】
前記電線固定部材は、前記電線を保持し前記第１連通孔に連通する第２連通孔が形成された電線保持溝を有する保持部材と、前記コンタクトピンの接続部を収容し前記第１連通孔に連通する第３連通孔が形成された固定穴及び前記保持部材を収容する窪み穴を有する固定ハウジングと、を有し、
前記保持部材を前記固定ハウジングの窪み穴に収容した状態で前記コネクタハウジングの収容孔に挿入し、前記ブリッジ型接続部材の第１接触部が前記第１、第２連通孔を通過して、また前記第２接触部が前記第１、第３連通孔を通過してそれぞれ押し込まれることを特徴とする請求項１２に記載のコネクタ。
【請求項１６】
前記保持部材は、絶縁性の厚板の一面に少なくとも１本の電線を収容できる電線保持溝が設けられ、これらの電線保持溝は、それぞれの電線サイズに適合する溝幅になっていることを特徴とする請求項１６に記載のコネクタ。
【請求項１７】
前記保持部材は、少なくとも１個の絶縁性の保持ブロックで形成され、これらの保持ブロックには、それぞれ電線サイズに適合する電線保持溝及び個々の保持ブロックを連結する連結手段が形成されていることを特徴とする請求項１５に記載のコネクタ。
【請求項１８】
前記防水部材は、電線サイズに適合する挿通孔を有する肉厚の弾性体からなり前記収容孔に圧入されるシールパッキンであることを特徴とする請求項１２に記載のコネクタ。
【請求項１９】
前記シールパッキンが装着された後に、電線サイズに適合する挿通孔を有する前記収容孔を塞ぐシールカバーが装着されていることを特徴とする請求項１８に記載のコネクタ。
【請求項２０】
前記コンタクトピンは雌型コンタクトピン又は雄型コンタクトピンであって、これらのコンタクトピンが雌型コネクタ又は雄型コネクタハウジングに収容されていることを特徴とする請求項１２〜１９の何れかに記載のコネクタ。
【請求項２１】
前記雌型コネクタと雄型コネクタとは何れか一方のコネクタにコネクタシール部材を装着して結合されることを特徴とする請求項２０に記載のコネクタ。
【請求項２２】
コネクタシール部材は前記雌型コネクタの差込口の奥部から前方へ突出し雌型コンタクトピンが収納された突出部の外周囲に嵌入される弾性を有する筒状シール部材であることを特徴とする請求項２１に記載のコネクタ。
【請求項２３】
前記コネクタシール部材は弾性を有する一方の筒状シール体と剛体からなる他方の筒状シール体とからなり、前記一方の筒状シール体は筒状開口と直交する方向の外周囲に凸状隆起部が形成されて前記突出部に直列に装着されていることを特徴とする請求項２２に記載のコネクタ。
【発明の詳細な説明】
【技術分野】
【０００１】
本発明は電気コネクタに係り、更に詳しくは、コネクタハウジング内に装着されるコンタクトピンと絶縁被覆電線との接続を、特殊な圧接工具を使用することなく、コンタクトピンを被覆電線に押し当てることにより絶縁被覆電線の被覆が突き破られて芯線と接触接続される、いわゆるピアシング（piercing）タイプのコンタクトピンが装着されたコネクタに関するものである。
【背景技術】
【０００２】
コネクタハウジング内に装着されるコンタクトピンと絶縁被覆電線との接続を特殊な圧接工具を使用することなく、被覆電線をコンタクトピンに押し当てることにより絶縁被覆電線の被覆が突き破られて芯線と接触接続される、いわゆるピアシングタイプのコンタクトピンが装着されたコネクタは、既に開発・製品化され、また特許文献等でも紹介されている（例えば、下記特許文献１参照）。
【０００３】
図１２及び図１３は下記特許文献１に記載されたコネクタを示し、図１２Ａはコネクタの平面図、図１２Ｂは図１２ＡのXIIB−XIIB線で切断した断面図、図１３Ａは図１２ＡのXIIIA−XIIIA線で切断した断面図、図１３Ｂはコネクタに装着されるコンタクトピンの斜視図である。
【０００４】
下記特許文献１に開示されたコネクタ３０は、図１２に示すように、複数本のコンタクトピン３４と、これらのコンタクトピン３４が収容され上壁に矩形の凹部３２が形成されたコネクタハウジング３１と、複数本の絶縁被覆電線を保持してハウジングの凹部３２に嵌め込まれるカバーハウジング３３とを有している。コンタクトピン３４は、図１３Ｂに示すように、基部３５と、この基部３５から上方へ突設された突出舌片３６と、基部３５の前方に設けられた接触部３７と、後方に垂直に立設して設けられた電線係止部３８とを有している。この突出舌片３６には、先端部が２つに分離した鋭い突起３６ａが形成され、これらの突起３６ａは絶縁被覆電線（以下、電線という）の外皮を突き破って芯線と接触されるようになっている。また、電線係止部３８には２つの係止片３８ａが形成されており、図１３Ａに示すように、この係止片３８ａにより電線Ｗが挟持されて移動が阻止されるようになっている。
【０００５】
コンタクトピン３４と電線Ｗとの接続は、カバーハウジング３３の後方の丸孔から複数本の電線を挿通して電線の先端部をクリップ３９で保持して、このカバーハウジング３３を凹部３２内に押し込むことにより行われる。すなわち、この押し込みにより、コンタクトピン３４の突出舌片３６の各突起３６ａが絶縁被覆電線Ｗの外皮を破って芯線に食い込み、コンタクトピン３４と電線の芯線との間で電気的接続がなされる。また、このような構成を備えるコネクタは下記特許文献２にも記載されている。
【０００６】
【特許文献１】特開２００２−１７５８４５号公報
【特許文献２】特開昭６１−１３３５８４号公報
【発明の開示】
【発明が解決しようとする課題】
【０００７】
上記のような従来技術として開示されたコネクタは、複数本の電線を保持したカバーハウジングをコネクタハウジングの凹部に押し込むことにより、コネクタハウジングの凹部に配列したコンタクトピンの突起舌片に絶縁被覆電線を突き刺して突起舌片を電線の芯線に接触させるので、特殊な圧接工具を使用することなくコンタクトピンを電線に接続できる。しかしながら、このコネクタでは、電線がコンタクトピンと直に接続・固定されるので、電線とコンタクトピンとが特定のものに限定されてしまい、それらの選択・変更、例えば種々サイズの電線と種々タイプのコネクタとを組み合わせた接続ができないので、コネクタの設計が制限されてしまうという課題がある。すなわち、従来のコネクタは、コンタクトピンとして一定の電線サイズに適合するものしか使用できず、例えば小サイズの電線にはこの小サイズの電線に適合する電線接続部を有するコンタクトピン、また、大サイズの電線にはこの大サイズの電線に適合する電線接続部を有するコンタクトピンしか使用できないことになり、電線サイズ及びコンタクトピンの組み合わせタイプが限定されてしまい、コネクタ設計の範囲を広げることができない。
【０００８】
また、このコネクタでは、電線とコンタクトピンとは１対１の接続となるので、電線とコンタクトピンの数を変えた接続、例えば電線とコンタクトピンとの数を変えて１本の電線に流れる信号或いは電力等を複数のコンタクトピンに分流させ、或いは反対に複数本の電線からの信号等をコンタクトピン側で合流させることができない。
【０００９】
更に、この従来のコネクタは防水構造にすることが困難な構造となっている。すなわち、このコネクタは、電線を装着したカバーハウジングをコネクタハウジングの凹部へ押し込むことにより絶縁被覆電線をコンタクトピンの突起舌片に突き刺す構造となっているので、電線がカバーハウジングとともに移動されてしまい、このカバーハウジング及び電線、特にこの移動する電線の外周囲を防水シールすることが困難であり、コネクタハウジングの凹部とカバーハウジングとの隙間から水が入り込んでコンタクトピンと電線との接続部に侵入する恐れがある。
【００１０】
本発明はこのような従来技術に鑑みてなされたものであって、本発明の目的は種々サイズの電線と種々タイプのコンタクトピンとを組み合わせ特殊な工具を使用することなく接続できるコネクタを提供することにあり、また、他の目的は種々サイズの電線と種々タイプのコンタクトピンと組み合わせ特殊な工具を使用することなく接続できる防水型のコネクタを提供することである。
【課題を解決するための手段】
【００１１】
上記目的を達成するために、本発明の第１の態様に係るコネクタは、先端に接触部及び後端に電線接続部を有するコンタクトピンと、該コンタクトピン及び電線が収容される収容孔を有するコネクタハウジングとを備えたコネクタにおいて、
前記収容孔に前記コンタクトピン及び電線を収容して、第１、第２接触部が連結片で結合されたブリッジ型接続部材を前記収容孔に押し込むことにより、前記第１、第２接触部で前記コンタクトピンの接続部と電線の芯線とを接続することを特徴とする。
【００１２】
また、上記第１の態様において、前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されると好ましい。
【００１３】
また、上記第１の態様において、前記ブリッジ型接続部材の第１、第２接触部はそれぞれ同数又は異なった数形成されていると好ましい。
【００１４】
また、上記第１の態様において、前記コンタクトピンは、雌型コンタクトピン又は雄型コンタクトピンであって、これらのコンタクトピンが雌型コネクタハウジング又は雄型コネクタハウジングに収容されていると好ましい。
【００１５】
また、本発明の第２の態様に係るコネクタは、先端に接触部及び後端に電線接続部を有するコンタクトピンと、該コンタクトピン及び電線を収容し後方に電線固定部材が装着される収容孔を有するコネクタハウジングとを備えたコネクタにおいて、
前記コネクタハウジングの壁面に前記収容孔に連通する第１連通孔を形成し、前記収容孔に前記コンタクトピン及び電線を収容し、第１、第２接触部を有しこれらが連結片で結合されたブリッジ型接続部材の第１、第２接触部を前記第１連通孔に押し込むことにより、前記第１、第２接触部で前記コンタクトピンの接続部と電線の芯線とを接続することを特徴とする。
【００１６】
また、上記第２の態様において、前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されていると好ましい。
【００１７】
また、上記第２の態様において、前記ブリッジ型接続部材の第１、第２接触部はそれぞれ同数又は異なった数形成されていると好ましい。
【００１８】
また、上記第２の態様において、前記電線固定部材は、前記電線を保持し前記第１連通孔に連通する第２連通孔が形成された電線保持溝を有する保持部材と、前記保持部材を収容する窪み穴及び前記コンタクトピンの接続部を収容し前記第１連通孔に連通する第３連通孔が形成された固定穴を有する固定ハウジングと、を有し、
前記保持部材を前記固定ハウジングの窪み穴に収容した状態で前記コネクタハウジングの収容孔に挿入し、前記ブリッジ型接続部材の第１接触部が前記第１、第２連通孔を通過して、また前記第２接触部が前記第１、第３連通孔を通過して押し込まれるようにすると好ましい。
【００１９】
また、上記第２の態様において、前記保持部材は、絶縁性の厚板の一面に少なくとも１本の電線を収容できる電線保持溝が設けられ、これらの電線保持溝は、それぞれの電線サイズに適合する溝幅になっていると好ましい。
【００２０】
また、上記第２の態様において、前記保持部材は少なくとも１個の絶縁性の保持ブロックで形成され、これらの保持ブロックにはそれぞれ電線サイズに適合する電線保持溝及び個々の保持ブロックを連結する連結手段が形成されていると好ましい。
【００２１】
また、上記第２の態様において、記コンタクトピンは雌型コンタクトピン又は雄型コンタクトピンであって、これらのコンタクトピンが雌型コネクタ又は雄型コネクタハウジングに収容されていると好ましい。
【００２２】
さらに、本発明の第３の態様にかかるコネクタは、先端に接触部及び後端に電線接続部を有するコンタクトピンと、該コンタクトピン及び電線を収容し後方に電線固定部材及び防水部材が装着される収容孔を有するコネクタハウジングとを備えたコネクタにおいて、
前記コネクタハウジング壁面に第１、第２接触部が連結片で結合されたブリッジ型接続部材が挿入され底部に前記収容孔に連通する第１連通孔を有する窪み穴を形成し、この窪み穴にシール部材を装着するとともに前記収容孔に前記コンタクトピン、電線、前記電線固定部材及び前記防水部材を装着して、前記ブリッジ型接続部材の前記第１、第２接触部を前記第１連通孔に押し込むことにより、前記第１、第２接触部で前記コンタクトピンの接続部と電線の芯線とを接続することを特徴とする。
【００２３】
また、上記第３の態様において、前記ブリッジ型接続部材の第１接触部は絶縁被覆電線の被覆を突き破って芯線と接触される鋭角に尖った牙状又はＵ字状溝を有する接触子で形成され、前記第２接触部は前記コンタクトピンの接続部に接触される所定幅の接触子で形成されていると好ましい。
【００２４】
また、上記第３の態様において、前記ブリッジ型接続部材の第１、第２接触部はそれぞれ同数又は異なった数形成されていると好ましい。
【００２５】
また、上記第３の態様において、前記電線固定部材は、前記電線を保持し前記第１連通孔に連通する第２連通孔が形成された電線保持溝を有する保持部材と、前記コンタクトピンの接続部を収容し前記第１連通孔に連通する第３連通孔が形成された固定穴及び前記保持部材を収容する窪み穴を有する固定ハウジングと、を有し、
前記保持部材を前記固定ハウジングの窪み穴に収容した状態で前記コネクタハウジングの収容孔に挿入し、前記ブリッジ型接続部材の第１接触部が前記第１、第２連通孔を通過して、また前記第２接触部が前記第１、第３連通孔を通過してそれぞれ押し込まれるようにすると好ましい。
【００２６】
また、上記第３の態様において、前記保持部材は、絶縁性の厚板の一面に少なくとも１本の電線を収容できる電線保持溝が設けられ、これらの電線保持溝は、それぞれの電線サイズに適合する溝幅になっていると好ましい。
【００２７】
また、上記第３の態様において、前記保持部材は、少なくとも１個の絶縁性の保持ブロックで形成され、これらの保持ブロックには、それぞれ電線サイズに適合する電線保持溝及び個々の保持ブロックを連結する連結手段が形成されていると好ましい。
【００２８】
また、上記第３の態様において、前記防水部材は、電線サイズに適合する挿通孔を有する肉厚の弾性体からなり前記収容孔に圧入されるシールパッキンであると好ましい。
【００２９】
また、上記第３の態様において、前記シールパッキンが装着された後に、電線サイズに適合する挿通孔を有する前記収容孔を塞ぐシールカバーが装着されていると好ましい。
【００３０】
また、上記第３の態様において、前記コンタクトピンは雌型コンタクトピン又は雄型コンタクトピンであって、これらのコンタクトピンが雌型コネクタ又は雄型コネクタハウジングに収容されていると好ましい。
【００３１】
また、上記第３の態様において、前記雌型コネクタと雄型コネクタとは何れか一方のコネクタにコネクタシール部材を装着して結合されるようになすと好ましい。
【００３２】
また、上記第３の態様において、コネクタシール部材は前記雌型コネクタの差込口の奥部から前方へ突出し雌型コンタクトピンが収納された突出部の外周囲に嵌入される弾性を有する筒状シール部材であると好ましい。
【００３３】
また、上記第３の態様において、前記コネクタシール部材は弾性を有する一方の筒状シール体と剛体からなる他方の筒状シール体とからなり、前記一方の筒状シール体は筒状開口と直交する方向の外周囲に凸状隆起部が形成されて前記突出部に直列に装着されていると好ましい。
【発明の効果】
【００３４】
本発明は上述の構成を備えることにより、以下に示すような優れた効果を奏する。すなわち、本発明の第１の態様に係るコネクタによれば、コンタクトピンの接続部と電線の芯線とは、第１、第２接触部を有し両接触部が連結片で結合されたブリッジ型接続部材で接続されるので、種々サイズの電線と種々タイプのコンタクトピンとを組み合わせたコネクタを簡単に製作することができる。すなわち、コンタクトピンの電線接続部と電線とをブリッジ型接続部材を用いて接続すると、従来技術のように電線がコンタクトピンの電線接続部に直接接続固定されないので、種々サイズの電線及び種々タイプのコンタクトピンを種々選択し、これらを組み合わせた接続が可能となり使用範囲の広いコネクタを簡単に製作することができる。
【００３５】
また、上記第１の態様において、ブリッジ型接続部材の第１接触部は、絶縁被覆電線の被覆を突き破って芯線と接触される鋭角に尖った牙状、或いはＵ字状溝を有する接触子で形成され、また第２接触部はコンタクトピンの接続部に接触される所定幅の接触子で形成されるようになせば、絶縁被覆電線とコンタクトピンとの接続が特殊な工具を使用することなく簡単にできる。
【００３６】
また、ブリッジ型接続部材は、第１、第２接触部の数が同数又は異なった数で形成されるようになせば、第１接触部に接続される電線からの信号、電力等を分流又は合流させることが可能になる。例えば、第１接触部を１本、第２接触部を２本とすると、第１接触部に接続された１本の電線からの信号、電力等が連結片を介して第２接触部で２つに分流される。また、逆の場合、すなわち第１接触部を２本、第２接触部を１本にすると、第１接触部に接続された各電線からの信号、電力等が連結片を介して第２接触部で合流されることになる。
【００３７】
また、上記第１の態様にかかるコネクタは雌型コネクタ及び雄型コネクタの何れでも作製することができる。
【００３８】
また、本発明の第２の態様に係るコネクタによれば、コンタクトピンの接続部と電線の芯線とは、第１、第２接触部を有し両接触部が連結片で結合されたブリッジ型接続部材で接続されるので、種々サイズの電線と種々タイプのコンタクトピンとを組み合わせたコネクタを簡単に製作することができる。また、ブリッジ型接続部材の第１、第２接触部は第１連通孔から押し込まれるので、各接触部が第１連通孔にガイドされ電線とコンタクトピンとの接続が正確になる。
【００３９】
また、第２の態様においては、ブリッジ型接続部材の第１接触部は、絶縁被覆電線の被覆を突き破って芯線と接触される鋭角に尖った牙状、或いはＵ字状溝を有する接触子で形成され、また第２接触部はコンタクトピンの接続部に接触される所定幅の接触子で形成されるようになせば、絶縁被覆電線とコンタクトピンとの接続が特殊な工具を使用することなく簡単にできる。
【００４０】
また、第２の態様においては、ブリッジ型接続部材は、第１、第２接触部の数が同数又は異なった数で形成されるようになせば、第１接触部に接続される電線からの信号、電力等を分流又は合流させることが可能になる。
【００４１】
また、第２の態様においては、電線固定部材は、電線保持溝及び第２連通孔を有する保持部材と、この保持部材を収容し第３連通孔を有する固定ハウジングとで構成し、固定ハウジングに保持部材を収容した状態でコネクタハウジングの収容孔に挿入するようにすることで、電線とコンタクトピンとの位置決め固定が正確になり、また、第１、第２接触部は、それぞれ第１、第２連通孔及び第１、第３連通孔にガイドされるので、電線とコンタクトピンの接続が正確になる。
【００４２】
また、第２の態様においては、保持部材は、絶縁性の厚板の一面に１乃至複数本の電線を収容できる電線保持溝を設け、これらの電線保持溝幅をそれぞれの電線サイズに適合する幅長とすれば、１枚の厚板プレートにサイズの同じ又は異なる複数本の電線を装着できるようになるので、電線の装着が容易になる。
【００４３】
また、第２の態様においては、保持部材は、１乃至複数個の絶縁性の保持ブロックで形成するようになせば、これらの保持ブロックにはそれぞれ電線サイズに適合する電線保持溝及び個々の保持ブロックを連結する連結手段が形成されているので、保持ブロックの選択・連結が容易になり、種々サイズの電線に適応できる保持部材を形成できる。
【００４４】
また、上記第２の態様にかかるコネクタは雌型コネクタ及び雄型コネクタの何れでも作製することができる。
【００４５】
更に、本発明の第３の態様にかかるコネクタは、コンタクトピンの接続部と電線の芯線とは、第１、第２接触部が連結片で結合されたブリッジ型接続部材で接続されるので、種々サイズの電線と種々タイプのコネクタとを組み合わせたコネクタを製作することができる。しかも、コネクタハウジングの壁面にブリッジ型接続部材が嵌入される窪み穴が形成され、この窪み穴にシール部材を装着してブリッジ型接続部材を嵌入するので、この接続部材の装着箇所を防水構造とすることができる。また、収容孔の後方にはシール部材が装着されているので電線固定部材の装着箇所から水の侵入を阻止できる。
【００４６】
また、第３の態様においては、ブリッジ型接続部材の第１接触部は、絶縁被覆電線の被覆を突き破って芯線と接触される鋭角に尖った牙状、或いはＵ字状溝を有する接触子で形成され、また第２接触部はコンタクトピンの接続部に接触される所定幅の接触子で形成されるようになせば、絶縁被覆電線とコンタクトピンとの接続が特殊な工具を使用することなく簡単にできる。
【００４７】
また、第３の態様においては、ブリッジ型接続部材は、第１、第２接触部の数が同数又は異なった数で形成されこれらが連結片及び短絡片で結合されているので、第１接触部に接続される電線からの信号、電力等を分流又は合流させることが可能になる。
【００４８】
また、第３の態様においては、電線固定部材は、電線保持溝及び第２連通孔を有する保持部材と、この保持部材を収容し第３連通孔を有する固定ハウジングとで構成し、固定ハウジングに保持部材を収容した状態でコネクタハウジングの収容孔に挿入するようになせば、電線とコンタクトピンとの位置決め固定が正確になり、また、第１、第２接触部は、それぞれ第１、第２連通孔及び第１、第３連通孔にガイドされるので、電線とコンタクトピンの接続が正確になる。
【００４９】
また、第３の態様においては、保持部材として、絶縁性の厚板の一面に１乃至複数本の電線を収容できる電線保持溝を設け、これらの電線保持溝幅をそれぞれの電線サイズに適合する幅長にするようなせば、１枚の厚板プレートにサイズの同じ又は異なる複数本の電線を装着できるようになるので、電線の装着が容易になる。
【００５０】
また、第３の態様においては、保持部材として、１乃至複数個の絶縁性の保持ブロックで形成され、これらの保持ブロックにはそれぞれ電線サイズに適合する電線保持溝及び個々の保持ブロックを連結する連結手段が形成されているものを用いれば、保持ブロックの選択・連結が容易になり、種々サイズの電線に適応できる保持部材を形成できる。
【００５１】
また、第３の態様においては、防水部材をシールパッキンとし、シールパッキンの後部にこのシールパッキンを保護するためのシールカバーを装着するようになせば、シールパッキンにより良好な防水効果を実現できる。またシールカバーを装着することによりシールパッキンの抜けを防止できるとともに、このシールカバーにより電線が湾曲された場合であってもその電線のテンションがシールカバーで和らげられ、シールパッキンに伝わる電線のテンションを小さくすることができるので、電線の湾曲によりシールパッキンの挿通孔が変形する恐れがなくなり、シールパッキンに隙間が生じ難くなる。
【００５２】
また、上記第３の態様にかかるコネクタは雌型コネクタ及び雄型コネクタの何れでも作製することができる。
【００５３】
また、第３の態様においては、雌型コネクタと雄型コネクタとを、何れか一方のコネクタにコネクタシール部材を装着して結合されるようになせば、両コネクタの結合箇所からの水の侵入を阻止できる。
【００５４】
また、第３の態様においては、コネクタシール部材を筒状シール体で構成するようになせば、雌型コネクタへの装着が簡単にできるとともに両コネクタの結合箇所からの水の侵入を阻止することができる。
【００５５】
また、第３の態様においては、コネクタシール部材は、弾性を有する筒状シール体と剛体からなる筒状シール体とで構成し、これらを突出部に直列に装着することにより防水構造を形成する。また、凸状隆起部を有する筒状シール体を突出部の奥部に他の筒状シール体を前方へ配置すればこの筒状シール体の抜けを防ぐことができる。
【発明を実施するための最良の形態】
【００５６】
以下、図面を参照して本発明の最良の実施形態を説明する。但し、以下に示す実施形態は、本発明の技術思想を具体化するためのコネクタを例示するものであって、本発明をこのコネクタに特定することを意図するものではなく、特許請求の範囲に含まれるその他の実施形態のものも等しく適応し得るものである。
【実施例１】
【００５７】
図１は本発明の一実施例に係る雌型コネクタ及び雄型コネクタをそれぞれ分解した分解斜視図、図２は図１の雌型コネクタ及び雄型コネクタを組み立て長手方向の中心線上で切断して一部を断面とした斜視図、図３は図１の雌型コネクタハウジングを示す斜視図、図４は図１の雌型コネクタに装着される雌型コンタクトピンを示す斜視図、図５は電線固定部材を分解して示す分解斜視図、図６は保持部材を示し、図６Ａは保持ブロックを連結させた状態を示す斜視図、図６Ｂは保持ブロックを分解した状態を示す斜視図、図７は図６に示す保持部材を構成する保持ブロックの組み合わせを変更した変更例を示す斜視図、図８はシールパッキンを示す斜視図、図９は雌型コネクタに装着されるブリッジ型接続部材を示し、図９Ａはブリッジ型接続部材を示す斜視図、図９Ｂは図９Ａのブリッジ型接続部材の底面図、図９Ｃは接続ブレードを示す斜視図、図１０はブリッジ型接続部材の接続ブレードの変形例を示す斜視図、図１１はブリッジ型接続部材の接続ブレードの変形例を示す斜視図である。
【００５８】
本発明のコネクタ１は、図１に示すように、雌型コネクタ２と雄型コネクタ２Ａとからなり、両コネクタを結合することにより、それぞれのコネクタに接続された電線Ｗがコネクタ内のコンタクトピンを介して電気的に接続されるもので、これらのコネクタは防水構造を備えている。以下には、これらの雌型コネクタ及び雄型コネクタをそれぞれ順に説明する。
【００５９】
雌型コネクタ２は、先端に雄型コネクタ２Ａのコンタクトピン３Ａと接触される接触部及び後端に電線と接続される接続部を有する複数本の雌型コンタクトピン（以下、単にコンタクトピンという）３と、これら複数本のコンタクトピン３が収容され上壁面に窪み穴８が設けられたコネクタハウジング４と、複数本の電線Ｗを位置決め固定する電線固定部材１１と、コネクタハウジング４の収容孔５を塞ぎ水の侵入を阻止する防水部材１８と、複数本のコンタクトピン３と電線Ｗとを接続する一対の第１、第２接触部を有するブリッジ型接続部材２２とを有し、このブリッジ型接続部材２２をコネクタハウジング４の窪み穴８へ押し込むことにより、ブリッジ型接続部材２２の第１接触部を電線Ｗの芯線と接触させるとともに第２接触部をコンタクトピン３に接触させてコンタクトピン３と電線Ｗとが電気的に接続される構成となっている。
【００６０】
コネクタハウジング４は、図３に示すように、所定の高さ、横幅及び長さを有する扁平な直方体、すなわち上下、左右及び前後の壁面４ａ〜４ｆからなる直方体ブロックで構成されており、絶縁性の合成樹脂で形成されている。このコネクタハウジング４は、その後壁面４ｆに電線固定部材１１及び防水部材１８が収容される大きさの空洞からなる収容孔５が形成され、この収容孔５は、その開口５ａが電線固定部材１１等の形状に合わせて矩形状をなし、この収容孔５の奥部５０はハウジング４の前方の途中まで達している（図２参照）。また、この収容孔５は、開口部と奥部とではその形状が異なっている。すなわち、開口部５ａは、防水部材１８の一部であるシールカバー２０が挿入されるように上側内壁面に２本の溝５１が形成され、また、奥部５０の壁面５２は、防水部材１８のシールパッキン１９の形状に合わせて凹凸形状となっている（図２参照）。
【００６１】
また、コネクタハウジング４の前壁面４ｅには、雄型コネクタ２Ａの突出部が差し込まれる大きさの差込口６が形成されている。この差込口６は、図２に示すように、所定深さの空洞からなり、その奥部の中央部には差込口６の開口部に向かって突出する比較的長い突出部７が形成され、この突出部７の内部には、コンタクトピン３が収容される複数本、例えば３本のピン装着孔７０が形成されている。これらのピン装着孔７０は、収容孔５に連通し、また突出部７の先端は雄型コンタクトピン３Ａが挿入される大きさの小孔７１となっている。突出部７には、図１に示すように、外周囲に一対の筒状シール部材２１１、２１２が直列に装着される。各筒状シール部材２１１、２１２は、いずれも突出部７の外周囲に圧入される開口と、所定の幅長を有する弾性体、例えばゴム材で形成され、一方の筒状シール部材２１２の外周囲には凹凸部が形成されている。コネクタハウジング４は、両側壁面４ｃ、４ｄの前方に雄型コネクタ２Ａの係止突起と係合される係合穴４ｃ'、４ｄ'が形成されている。
【００６２】
また、コネクタハウジング４の上壁面４ａは、その前方４１が肉薄、すなわち背低で、この前方４１から段部４０を経て後方部が肉厚に形成され、この肉厚の後方部の平坦面にブリッジ型接続部材２２が嵌め込まれる窪み穴８が形成されている。この窪み穴８は、ブリッジ型接続部材２２の外形に合わせて矩形状の開口８ａを有し、所定の深さを有する凹状の窪み穴となっている。この凹状の窪み穴８は、後述する電線Ｗ及びコンタクトピン３の接続部が配設される部分の上方に形成され、またこの窪み穴８の底壁８ｂの内周囲にＯリング９が挿入される凹状溝８０が形成されている。また、底壁８ｂには、長手方向に複数本の細長溝８１〜８３が所定間隔で配設され、これらの細長溝８１〜８３は収容孔５へ連通している。なお、図３では細長溝８２のみが図示されておりこの細長溝８２に隣接する他の細長溝８１、８３は隠れている。各細長溝８１〜８３は、後述するブリッジ型接続部材２２の第１、第２接触部が差込まれる大きさであり、また各細長溝８１〜８３の間隔は、コネクタハウジング４内に並列に配設される電線Ｗあるいはコンタクトピン４の間隔と同一長となっている。また、凹状溝８０にＯリング９を装着し、窪み穴８にブリッジ型接続部材２２を押し込むと、ブリッジ型接続部材２２はＯリング９によりシールされ水の浸入が阻止される。なお、符号４ｆ'は、プラスチック成型時の歪をなくするための成型穴である。
【００６３】
コンタクトピン３は、図４に示すように、前方に位置する一端に雄型コネクタ２Ａのコンタクトピン３Ａが挿入される一対の挟持片３ａ、３ｂからなる接触部３ｃを備え、その幅長が長手方向中央部付近から拡大され、後方に位置する他端にはこの拡大部３ｄにおいてブリッジ型接続部材２２の第２接触部を挟持する一対の対向する挟持片３ｅ、３ｆからなる挟持コンタクト３ｇを備え、接触部３ｃと挟持コンタクト３ｇとは良導電性金属板の折曲加工により一体に形成されている。挟持コンタクト３ｇの一対の対向する挟持片３ｅ、３ｆは、拡大部３ｄの途中から垂直へ立設されているとともに、その先端部の互いに隣接する側壁面がブリッジ型接続部材２２の第２接触部を挟持可能なように、互いに近接する方向へ膨出している。
【００６４】
電線固定部１０は、図１に示すように、複数本の電線Ｗを固定するとともに、コンタクトピン３の他端をも支持する電線固定部材１１と、コネクタハウジング４の収容孔５に圧入されて水の侵入を阻止する防水部材１８とで構成されている。
【００６５】
電線固定部材１１は、図５、図６に示すように、上下、左右及び前後壁面１２ａ〜１２ｆを有する直方体ブロックからなる固定ハウジング１２と、複数本の電線Ｗを位置決め固定する保持部材１６とを有し、これらは絶縁性の合成樹脂で形成されている。
【００６６】
この固定ハウジング１２は、上壁面１２ａに保持部材１６が嵌入される所定深さの凹状窪み穴１３が形成されている。また、後壁面１２ｆには、複数本の電線Ｗ、例えば３本の電線Ｗが挿入される挿通孔１２１〜１２３が形成され、これらの挿通孔１２１〜１２３は凹状窪み穴１３へ連通している。更に、前壁面１２ｅには、例えば３本のコンタクトピン３の一対の挟持片３ｅ、３ｆが収容される大きさを備える３個の隔壁で仕切られた逆凹状溝１４１〜１４３からなる収容穴が形成されている（図１参照）。これらの逆凹状溝１４１〜１４３は、その上部に固定ハウジング１２の上壁面１２ａに連通する３本のスリット１５１〜１５３が長手方向に所定の間隔で形成されている。これらのスリット１５１〜１５３は、それぞれの凹状溝１４１〜１４３に雌型コンタクトピン３１〜３３が収納されたとき、この雌型コンタクトピン３１〜３３の各挟持片３ａ、３ｂの隙間の延長線上に位置するようになっている。また、固定ハウジング１２の凹状窪み穴１３は、その内周壁面に保持部材１６を係止する係止部１３ａが形成されている。
【００６７】
保持部材１６は、図６に示すように、複数個、例えば３個の保持ブロック１６Ａ〜１６Ｃからなり、これらの保持ブロック１６Ａ〜１６Ｃを組み合わせ互いに連結して固定ハウジング１２の凹状窪み穴１３に嵌入できるようになっており、個々の保持ブロックは、それぞれ絶縁性の合成樹脂で形成されている。３個の保持ブロック１６Ａ〜１６Ｃは、固定ハウジング１２の凹状窪み穴１３の係合部１３ａに係合される第１、第２保持ブロック１６Ａ、１６Ｂと、これら第１、第２保持ブロック１６Ａ、１６Ｂの間に位置してこれらと連結される第３保持ブロック１６Ｃの３種類から構成されている。
【００６８】
この第１〜第３保持ブロック１６Ａ〜１６Ｃは、ほぼ同じ形状を有しているが互いに連結するための結合手段がそれぞれ異なっている。すなわち、第１〜第３保持ブロック１６Ａ〜１６Ｃは、その底壁面には電線Ｗのサイズに適合する逆Ｕ字状溝１７ａ〜１７ｃが形成され、上壁面には細長溝１６１〜１６３を有している。各逆Ｕ字状溝１７ａ〜１７ｃは各保持ブロックの長手方向に延在しており、内部に電線Ｗを保持できるとともに底部開口付近の側壁面には電線抜け止め用の係止突起が形成されている。また、各細長溝１６１〜１６３は、各逆Ｕ字状溝１７ａ〜１７ｃに連通し、固定ハウジング１２のスリット１５１〜１５３に隣接するように設けられている。
【００６９】
第１〜第３保持ブロック１６Ａ〜１６Ｃの結合手段は、第１保持ブロック１６Ａでは、長手方向に平行な一側壁面に係合部１３ａに係合する係止突起１７１が設けられ、前記一側壁面に対向する他側壁面に第３保持ブロック１６Ｃの線状突起１７３に係合される直線状の係合溝１７２が後端から前端近くまで形成されている。第２保持ブロック１６Ｂでは、一側壁面に第３保持ブロック１６Ｃの係合溝１７４に係合する線状突起１７５が後端から前端近くまで形成され、他側壁面には係合部１３ａに係合する係止突起１７６が形成されている。第３保持ブロック１６Ｃでは、長手方向の一側壁面に第１保持ブロック１６Ａの係合溝１７２に挿入する係止突起１７３が設けられ、他側壁面に第２保持ブロック１６Ｂの線状突起１７５に係合される係合溝１７４が形成されている。また、図６では電線Ｗの本数を３本としたために第１〜第３保持ブロック１６Ａ〜１６Ｃはそれぞれ１つずつ設けられているが、４本以上の電線Ｗを接続したい場合にはこの第３保持ブロック１６Ｃを複数個互いに連結し、その両側部に位置する第３保持ブロック１６Ｃを第１、第２保持ブロックと結合するようにしてもよい。このようになせば、電線Ｗの本数に合わせて保持ブロックを簡単に追加することができる。
【００７０】
３種類の保持ブロック１６Ａ〜１６Ｃは、それぞれの逆Ｕ字状溝１７ａ〜１７ｃが電線Ｗのサイズに適合するように形成されて組み合わせられ、互いに連結することで保持部材１７が構成される。図７は複数個の保持ブロックを組み合わせた例を示し、図７Ａに示す保持部材１６'は逆Ｕ字状溝１７ａ'〜１７ｃ'が図６のものより狭く形成されており、小サイズの電線に用いられるものであり、図７Ｂの保持部材１６"は逆Ｕ字状溝１７ａ"〜１７ｃ"が図６のものより広く形成されており、大サイズの電線に用いられるものである。また、図７Ａに示した小サイズの電線Ｗに用いられる保持ブロックの逆Ｕ字状溝１７ａ'〜１７ｃ'は、電線Ｗが小サイズであるために電線Ｗの抜けが発生しやすいので、側壁に設けられた電線抜け止め用の係止突起を２段階に設けている。
【００７１】
なお、接続される電線Ｗのサイズがそれぞれ異なる場合などには、それにあわせて逆Ｕ字状溝の大きさを選定したのち、保持ブロックを適宜組み合わせるようにすればよい。また、上記実施形態では、保持部材１６、１６Ｂ、１６Ｃを第１〜第３保持ブロック１６Ａ〜１６Ｃといったそれぞれ個別の保持ブロックで形成したものを説明したが、これらを１個のブロック、すなわち１枚のプレートからなる保持部材として形成することも可能である（例えば図５参照）。
【００７２】
防水部材１８は、コネクタハウジング４の収容孔５に圧入されて電線Ｗの外周囲からの水の浸入を阻止するシールパッキン１９と、この収容孔５の開口５ａを塞ぐシールカバー２０とで構成されている。
【００７３】
シールパッキン１９は、図１、図２及び図８に示すように、その外形がコネクタハウジング４の収容孔５に圧入される大きさ及び所定肉厚を有し、後壁面１９ｂから前壁面１９ａに向けて３本の電線Ｗがそれぞれ挿入される挿通孔１９１〜１９３が形成され、弾性を有する部材、例えばゴム材で形成されている。このシールパッキン１９の外周囲には、電線Ｗが挿通される方向と直交する方向に複数本の凹凸部１９０を形成するのが好ましい。この凹凸部１９０を設けることにより、収容孔５へ圧入したとき収容孔５の内周壁面に強く当接されて良好なシール効果が発揮される。
【００７４】
また、シールカバー２０は、図１、図２に示すように、コネクタハウジング４の収容孔５の開口５ａよりも大きく、この開口５ａを閉鎖する板状体からなり、後壁面２０ａから前壁面２０ｂに向けて３本の電線がそれぞれ挿入される挿通孔が形成され、例えば樹脂材で形成されている。また、前壁面２０ｂには、その外形がコネクタハウジング４の収容孔５に圧入される大きさで、収容孔５に圧入可能な長さだけ突出した突出部２０ｃが形成され、この突出部２０ｃの上方面には２本の突起条２０１が設けられている。この突起条２０１は、収容孔５の溝５１に嵌め込まれる。なお、ここではシールカバー２０を防水部材１８の一部として説明したが、シールカバー２０は収容孔５をシールするシールパッキン１９の抜け及びシールパッキン１９に電線Ｗのテンションが伝わることを抑止するものであって、シールカバー２０自体は必ずしも防水効果を備える必要はない。すなわち、このシールカバー２０が取り付けられていない場合に例えば電線Ｗが雌型コネクタ２に対して過度に湾曲すると、この湾曲した電線のテンションが直にシールパッキン１９の挿通孔１９１〜１９３に伝わり、これにより挿通孔１９１〜１９３が変形して防水効果の低下に繋がるが、シールカバー２０を設けることにより、電線Ｗのテンションはシールパッキン１９に伝わる前にシールカバー２０の挿通孔で和らげられるので、シールパッキン１９の挿通孔１９１〜１９３に挿入されている電線Ｗは大きく湾曲することがなく、よって挿通孔１９１〜１９３が変形しにくくなり、長期間高い防水効果を維持することができる。また、シールカバー２０がシールパッキン１９押さえるように設けられているので、シールパッキン１９の抜けも防止できる。
【００７５】
ブリッジ型接続部材２２は、図９に示すように、両端に第１、第２接触部２３ａ、２３ｂを有し両接触部が連結片２３ｃで結合された良導電性の接続ブレード２３と、これらの接続ブレード２３の連結片２３ｃ部分で所定の間隔で平行に立設した状態で固定する絶縁性の支持プレート２４とを有している。このブリッジ型接続部剤２２には、複数枚、例えば３枚の接続ブレード２３１〜２３３が取り付けられており、これらは同じ形状となっている。そのうちの１本を図９Ｃを参照して説明すると、接続ブレード２３の第１接触部２３ａは、先端が鋭角に尖った牙状の接触子で形成されて、絶縁体で被覆された絶縁被覆電線Ｗの外皮に突き刺さしたときに内部の芯線へ容易に到達し接触するようになっている。また、第２接触部２３ｂはコンタクトピン３の挟持片３ｅ、３ｆの間に挿入されるように所定の肉厚を有する板状の接触子で形成されて、各挟持片３ｅ、３ｆの間に挿入して挟持接触される。これらの第１、第２接触部２３ａ、２３ｂは、比較的幅広の連結片２３ｃで結合されおり、これらは良導電性を有する金属板の打ち抜き加工により一体に形成されている。
【００７６】
支持プレート２４は、コネクタハウジング４の窪み穴８の形状に合わせて矩形状で所定厚を備える絶縁性板体で形成されている。矩形状の支持プレート２４は、表裏、長辺及び短辺側壁２４ａ〜２４ｆを有し、一対の短辺側壁２４ｃ、２４ｄに窪み穴８の内周壁面の係止穴８ａに係合される複数個の係止突起２４０が形成されている。また、裏壁面２４ｂの中央部に背低の矩形状基台２５が形成され、この基台２５には、短手方向に延びる複数本、例えば３本の凹状溝２５１〜２５３が形成されている。ただしこれらの凹状溝２５１〜２５３は、一方の側面から他方の側面近くまで延びており、他方の側面付近で行き止まりの抜け止めとなっている。また、各凹状溝２５１〜２５３の溝幅は接続ブレード２３が圧入される幅長を有しており、それぞれに接続ブレード２３１〜２３３が圧入固定される。
【００７７】
この接続ブレード２３は、第１接触部２３ａを先端が鋭角に尖った牙状の接触子で形成したが、この先端部を牙状に代えて逆Ｕ字状としてもよい。図１０Ａは第１接触部を逆Ｕ字状にした接続ブレードの斜視図であり、図１０Ｂはこの接続ブレードと雌型コンタクトピン及び雄型コンタクトピンの接続状態を示した斜視図である。
【００７８】
この接続ブレード２３Ａは、所定の幅長及び長さの帯状片２３ｃ'と、この帯状片２３ｃ'の長手方向の両端部付近にあってこの帯状片２３ｃ'から下方に所定間隔あけて垂下された逆Ｕ字状溝を有する一対の接触子２３ｄ、２３ｅからなる第１接触部２３ａ'と、帯状片２３Ｃ'の前方の一端を折曲した第２接触部２３ｂ'とを有し、これらは良導電性金属板の折曲加工により形成されている。各接触子２３ｄ、２３ｅの逆Ｕ字状の溝は、電線Ｗの芯線の直径より若干幅狭に形成されて、電線Ｗに押し込まれたときに、芯線の外周囲に圧接されるようになっている。またこの接触子２３ｄ、２３ｅの逆Ｕ字状溝の対向する縁を刃型にすると、電線Ｗに押し込まれたときに電線Ｗの外皮を破断することができるようになる。また、第２接触部２３ｂ'は、先端がＵ字状に折曲されて弾性が付与されており、コンタクトピン３'と弾性接触するようになっている。この接続ブレード２３Ａは、１個乃至複数個が支持プレート２４に装着されてブリッジ型接続部材２２が形成される。この接続ブレード２３Ａは、逆Ｕ字状溝が絶縁被覆電線の外皮を破り芯線と接触接続されて、また、図１０Ｂに示すように、雌型コンタクトピン３'及び雄型コンタクトピン３Ａ'と接続される。
【００７９】
上述のブリッジ型接続部材２２は、個々に独立した複数枚の接続ブレード２３、２３Ａを支持プレート２２に装着して構成しているが、複数枚の接続ブレードを連結することもできる。図１１Ａは複数枚の接続ブレードを連結した連結接続ブレードを例示した斜視図であり、図１１Ｂは連結接続ブレードと雌型コンタクトピンとの接続状態を示した斜視図である。
【００８０】
連結接続ブレード２３Ｂは、図１１Ａに示すように、先端部が鋭角に尖った第１接続部２３ａ"と、細長な板状体からなる第２接続部２３ｂ"と、両接続部を連結する連結部２３ｃ"とからなる複数個、例えば３個の接続ブレード２３１〜２３３を所定の間隔をあけて平行に併設して、各接続ブレード２３１〜２３３の各連結片２３ｃ"、２３ｃ"、２３ｃ"が短絡片２３０、２３０で結合され、絶縁性の支持プレート（図示省略）に装着されてブリッジ型接続部材が形成される。この連結接続ブレード２３Ｂは、３個の雌型コンタクトピン３１〜３３に接続される（図１１Ｂ参照）。なお、ここでは分かりやすいように連結片２３ｃ"と短絡片２３０とを別部材として示したが、短絡片２３０は連結片２３ｃ"の一部であり、１つの金属導電体により一体に形成されている。
【００８１】
また、上述の連結接続ブレード２３Ｂは、第１、第２接触部２３ａ"、２３ｂ"の数が同数になっているが、異ならせてもよい。例えば、第１接触部２３ａ"を１本、第２接触部２３ｂ"を２本備え、これらが分岐した連結片により連結された連結接続ブレードを使用すると、第１接触部２３ａ"に接続された電線からの信号、電力等が分岐した連結片を介して第２接触部２３ｂ"で２つに分流される。また、逆の場合、すなわち第１接触部２３ａ"を２本、第２接触部２３ｂ"を１本とし、これらを分岐した連結片で連結した連結接続ブレードを使用すると、第１接触部２３ａ"に接続された電線Ｗからの信号、電力等が連結片を介して第２接触部２３ｂ"で合流されることになる。
【００８２】
雌型コネクタ２は、以下の手順で組立てられる。コネクタハウジング４の収容孔５から突出部７のピン装着孔７０に３本のコンタクトピン３１〜３３を収納する。そして、先ず、既にコネクタハウジング４に収納された３本のコンタクトピン３１〜３３及び装着される３本の絶縁被覆電線Ｗの各サイズに適合する３個の保持ブロック１６Ａ〜１６Ｃ及び固定ハウジング１２を選定し、保持ブロック１６Ａ〜１６Ｃを相互に連結して保持部材１６を作成する。そして、シールパッキン１９及びシールカバー２０の各挿通孔にそれぞれ電線Ｗを挿通し、これら３本の電線Ｗを固定ハウジング１２の３個の挿通孔１２１〜１２３から挿通し、電線を挿通した状態で保持部材１６を固定ハウジング１２の凹状窪み穴１３に嵌入することにより、それぞれの保持ブロック１６Ａ〜１６Ｃ内に電線を保持固定して電線固定部材１１を組立てる。
【００８３】
次いで、電線固定部材１１と防水部材１８とからなる電線固定部１０のうち、先ずコネクタハウジング４の後方の収容孔５から電線固定部材１１を挿入し、次いで、シールパッキン１９を押し込む。この押し込みにより、シールパッキン１９はそのパッキンの弾性により収容孔５の内周壁面に密着するとともに各電線Ｗの周りを押し付けて水の浸入を阻止するシールがなされる。そして、シールパッキン１９を収容孔５に固定した後に、シールカバー２０を収容孔の開口５ａへ押し込んで開口５ａを塞ぐ。このシールパッキン１９及びシールカバー２０を収容孔５に装着することにより、電線固定部１０からの水の浸入を阻止することができる。
【００８４】
その後、コネクタハウジング４の窪み穴８にＯリング９を装着して、この窪み穴８からブリッジ型接続部材２２を押し込みコンタクトピン３と絶縁被覆電線Ｗとを接続する。すなわち、ブリッジ型接続部材２２の各接続ブレード２３１〜２３３の各第１接触部２３ａを、各細長溝（第１連通孔）８１〜８３及び保持部材１６の各細長溝（第２連通孔）１６１〜１６３を通して押し込み、第１接触部２３ａの牙状の接触子で絶縁被覆電線Ｗの被覆を破って芯線に接触させ、またブリッジ型接続部材２２の各接続ブレード２３１〜２３３の第２接触部２３ｂを、各細長溝（第１連通孔）８１〜８３及び固定ハウジング１２の各スリット（第３連通孔）１５１〜１５３を通して押し込み、コンタクトピン３の一対の挟持片３ｅ、３ｆ間に挿入させて把持接触させる。また、窪み穴８へブリッジ型接続部材２２を押し込むことにより、この部材の支持プレート２４がＯリング９を押圧することでシールがなされる。また、差込口６内の突出部７の外周囲には、筒状シール部材２１２、筒状シール部材２１１の順で装着する。これにより、雌型コネクタ２の組み立てが完了する。
【００８５】
次に、雄型コネクタ２Ａについて主に図１及び図２を参照して説明する。この雄型コネクタ２Ａは、電線保持部１６及びブリッジ型接続部材２２については雌型コネクタ２とその構成が同一であり、コンタクトピン及びこれが装着されるコネクタハウジング４Ａの構成のみが異なっている。そこで、両コネクタの共通部分についてはその説明を省略し、異なる構成についてのみ以下に詳細に説明する。
【００８６】
雄型コンタクトピン３Ａは、その前方に位置する接触部３Ａ０が１本のピンからなり、雌型コンタクトピン３の挟持片３ａ、３ｂに差込まれるようにその先端が尖っている。後端部等の構成は雌型コンタクトピン３と同様の構成であるのでここでは説明を省略する。
【００８７】
また、雄型コネクタハウジング４Ａは、前方が雌型コネクタ２の差込口６に差込まれるように突出した突出部４Ａ'となっており、この雄型コネクタハウジング４Ａの収容孔の奥部には、雄型コンタクトピン３Ａの先端部が挿通される細溝５０'が形成されている。この雄型コネクタ２Ａの組み立ては、雌型コネクタ２の組み立てとほぼ同じ手順で組み立てられる。
【００８８】
雌型コネクタ２と雄型コネクタ２Ａとの結合は、雌型コネクタ２の差込口６内に雄型コネクタの突出部４Ａ'を差込むことにより行われる。この差し込みにより、筒状シール部材２１２の凸状隆起部が突出部４Ａ'前方の内周壁面に強く圧接される。また、この差込みに伴い、雄型コネクタハウジング４Ａの突出部４Ａ'両側壁に設けられた係止突起４ｃ"、４ｄ"が、雌型コネクタハウジング４の係合穴４ｃ'、４ｄ'と係合し抜け止めがなされる（なお、図１では係止突起４ｃ"は隠れている。）。
【００８９】
なお、上述の実施例に係るコネクタ１は種々の防水構造を備えているものとして説明したが、シール部材を装着しないコネクタとしてもよい。また、雌型コネクタ２と雄型コネクタ２Ａとの結合時のシール部材を雌型コネクタに装着したが、シール部材の形状を変更して雄型コネクタ側に装着してもよい。
【図面の簡単な説明】
【００９０】
【図１】図１は本発明の一実施例に係る雌型コネクタ及び雄型コネクタをそれぞれ分解した分解斜視図である。
【図２】図２は図１の雌型コネクタ及び雄型コネクタを組み立て長手方向の中心線上で切断して一部を断面とした斜視図である。
【図３】図３は図１の雌型コネクタハウジングを示す斜視図である。
【図４】図４は図１の雌型コネクタに装着される雌型コンタクトピンを示す斜視図である。
【図５】図５は電線固定部材を分解して示す分解斜視図である。
【図６】図６は保持部材を示し、図６Ａは保持ブロックを連結させた状態を示す斜視図、図６Ｂは保持ブロックを分解した状態を示す斜視図である。
【図７】図７は図６に示す保持部材を構成する保持ブロックの組み合わせを変更した変更例を示す斜視図である。
【図８】図８はシールパッキンを示す斜視図である。
【図９】図９は雌型コネクタに装着されるブリッジ型接続部材を示し、図９Ａはブリッジ型接続部材を示す斜視図、図９Ｂは図９Ａのブリッジ型接続部材の底面図、図９Ｃは接続ブレードを示す斜視図である。
【図１０】図１０はブリッジ型接続部材の接続ブレードの変形例を示す斜視図である。
【図１１】図１１はブリッジ型接続部材の接続ブレードの変形例を示す斜視図である。
【図１２】図１２は従来技術のコネクタを示し、図１２Ａはコネクタの平面図、図１２Ｂは図１２ＡのXIIB−XIIB線で切断した断面図である。
【図１３】図１３は従来技術のコネクタを示し、図１３Ａは図１２ＡのXIIIA−XIIIA線で切断した断面図、図１３Ｂはコネクタに装着されるコンタクトピンの斜視図である。
【符号の説明】
【００９１】
１        コネクタ
２        雌型コネクタ
２Ａ      雄型コネクタ
３、３Ａ  コンタクトピン
４        コネクタハウジング
１０      電線固定部
１１      電線固定部材
１２      固定ハウジング
１６      保持部材
１８      防水部材
２０      シールカバー
２２      ブリッジ型接続部材
２３      接続ブレード
２４      支持プレート
Ｗ        電線
【図１】
2007157697.tif 000003
【図２】
2007157697.tif 000004
【図３】
2007157697.tif 000005
【図４】
2007157697.tif 000006
【図５】
2007157697.tif 000007
【図６】
2007157697.tif 000008
【図７】
2007157697.tif 000009
【図８】
2007157697.tif 000010
【図９】
2007157697.tif 000011
【図１０】
2007157697.tif 000012
【図１１】
2007157697.tif 000013
【図１２】
2007157697.tif 000014
【図１３】
2007157697.tif 000015